(57)【要約】【課題】所定の位置にポインタを移動することができるマルチディスプレイシステム、ポインタ移動方法、ポインタ移動プログラム、記録媒体及び画像出力装置を提供すること。【解決手段】入力する画像情報に応じた画像を表示する画面をそれぞれ形成する複数の画像表示装置２１〜２６と、ポインタを含む表示画像を分割した分割画像に係る画像情報をそれぞれ出力する画像出力装置３とを備え、前記各画面により前記表示画像を表示するマルチディスプレイシステム１であって、少なくとも１つのキーを有し、当該キーの入力操作に応じて、前記画像出力装置３に所定の処理を実行させる操作信号を出力する操作装置５を備え、前記画像出力装置３は、前記操作信号の入力に応じて、前記各画面のうち所定の画面内に前記ポインタを移動するポインタ移動部を備える。これによれば、操作装置５に対するキー入力操作に応じて、所定の画面にポインタを移動できる。【選択図】図１
2008152378.tif 000002
【特許請求の範囲】
【請求項１】
入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備え、前記各画面により前記表示画像を表示するマルチディスプレイシステムであって、
少なくとも１つのキーを有し、当該キーの入力操作に応じて、前記画像出力装置に所定の処理を実行させる操作信号を出力する操作装置を備え、
前記画像出力装置は、
前記操作信号の入力に応じて、前記各画面のうち所定の画面内に前記ポインタを移動するポインタ移動部を備えることを特徴とするマルチディスプレイシステム。
【請求項２】
請求項１に記載のマルチディスプレイシステムにおいて、
前記画像出力装置は、
前記画面のうち、少なくともいずれかを主画面に設定する主画面設定部を備え、
前記ポインタ移動部は、前記主画面に前記ポインタを移動することを特徴とするマルチディスプレイシステム。
【請求項３】
請求項１または請求項２に記載のマルチディスプレイシステムにおいて、
前記画像出力装置は、
前記画面に対応する複数の画面領域を有する前記表示画像に係る画像上に、前記表示画像上の前記ポインタの位置を表記したマップを生成するマップ生成部を備えることを特徴とするマルチディスプレイシステム。
【請求項４】
請求項３に記載のマルチディスプレイシステムにおいて、
前記複数の画面領域は、選択可能に構成され、
前記ポインタ移動部は、前記複数の画面領域のうち選択された画面領域に対応する前記画面に前記ポインタを移動することを特徴とするマルチディスプレイシステム。
【請求項５】
請求項１から請求項４のいずれかに記載のマルチディスプレイシステムにおいて、
前記画像出力装置は、
前記操作装置に対する操作が所定時間行われないと、前記画面を待機状態に設定する待機状態設定部と、
前記ポインタ移動部が、前記ポインタを移動する際に、当該ポインタの移動先の前記画面に設定された前記待機状態を解除する待機状態解除部とを備えることを特徴とするマルチディスプレイシステム。
【請求項６】
請求項１から請求項５のいずれかに記載のマルチディスプレイシステムにおいて、
前記操作装置は、キーボードであることを特徴とするマルチディスプレイシステム。
【請求項７】
入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムに用いられ、前記ポインタを移動するポインタ移動方法であって、
前記画面のうち予め設定された主画面の位置を取得する主画面位置取得ステップと、
前記主画面上に、前記ポインタを移動させるポインタ移動ステップとを有することを特徴とするポインタ移動方法。
【請求項８】
入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムに用いられ、前記ポインタを移動するポインタ移動方法であって、
前記画面に対応する複数の画面領域を有する前記表示画像に係る画像上に、前記表示画像上の前記ポインタの位置が表記されたマップを表示するマップ表示ステップと、
選択された前記画面領域に対応する前記画面に、前記ポインタを移動させるポインタ移動ステップとを有することを特徴とするポインタ移動方法。
【請求項９】
入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムの前記画像出力装置により実行され、前記ポインタを移動するポインタ移動プログラムであって、
前記画像出力装置に、
前記画面のうち予め設定された主画面の位置を取得する主画面位置取得ステップと、
前記主画面上に、前記ポインタを移動させるポインタ移動ステップとを実行させることを特徴とするポインタ移動プログラム。
【請求項１０】
入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムの前記画像出力装置により実行され、前記ポインタを移動するポインタ移動プログラムであって、
前記画像出力装置に、
前記画面に対応する複数の画面領域を有する前記表示画像に係る画像上に、前記表示画像上の前記ポインタの位置が表記されたマップを表示するマップ表示ステップと、
選択された前記画面領域に対応する前記画面に、前記ポインタを移動させるポインタ移動ステップとを実行させることを特徴とするポインタ移動プログラム。
【請求項１１】
請求項９または請求項１０に記載のポインタ移動プログラムをコンピュータ読取可能に記録したことを特徴とする記録媒体。
【請求項１２】
入力する画像情報に応じた画像を表示する画面をそれぞれ形成する複数の画像表示装置に、ポインタを含む表示画像を分割した分割画像に係る画像情報をそれぞれ出力する画像出力装置であって、
少なくとも１つのキーを有し、当該キーの入力操作に応じた操作信号を出力する操作装置からの前記操作信号の入力に応じて、前記各画面のうち所定の画面内に前記ポインタを移動するポインタ移動部を備えることを特徴とする画像出力装置。
【発明の詳細な説明】
【技術分野】
【０００１】
本発明は、マルチディスプレイシステム、ポインタ移動方法、ポインタ移動プログラム、記録媒体及び画像出力装置に関する。
【背景技術】
【０００２】
従来、複数の画面を有し、当該画面を組み合わせることで、単一の画像を表示するマルチディスプレイシステムが知られている。このようなマルチディスプレイシステムは、入力する画像情報に応じた画像を表示する複数の画像表示装置と、当該各画像表示装置に、単一の画像を分割した分割画像に係る画像情報をそれぞれ出力する画像出力装置とを備えて構成されている。このような画像表示装置としては、スクリーンに光学像を投射するプロジェクタや、液晶等のディスプレイを挙げることができる。また、画像出力装置としては、ＰＣ（Personal Computer）や各種映像再生装置等を挙げることができる。
【０００３】
例えば、画像出力装置としてＰＣを用いた場合、当該ＰＣにて生成された単一の画像が、前述の複数の画像表示装置により分割表示される。このような画像には、アプリケーション（ソフトウェア）に対応するウィンドウ領域、及び、エラーメッセージの表示及び操作の確認要求等に用いられるダイアログ等のウィンドウ領域等のコンテンツ領域や、画面上を移動してコンテンツ領域の選択及び移動等を行う記号であるポインタ等のオブジェクトが含まれる。そして、ＰＣには、このようなオブジェクトを操作するポインティングデバイスやキーボード等が接続されることが一般的である。
【０００４】
ここで、マルチディスプレイシステムは、複数の画像表示装置を用いることにより、一つの画像表示装置を用いた場合に比べ、解像度の高い大きな画面を表示することが可能となる。しかしながら、前述のＰＣを用いた場合のように、解像度が高くなると、表示画像中に含まれるポインタを発見しづらくなるという問題がある。特に、画像表示装置は、所定時間、画像情報が入力しない場合には、低輝度状態あるいは画像形成停止状態とする省電力状態に移行する設定がなされている場合があり、このような省電力状態に画像表示装置が設定されている場合には、ポインタの位置が瞬時に把握できないという問題がある。
【０００５】
このような問題に対し、画像表示装置（ＤＩＳＰ）の表示状態を低輝度状態に設定した場合に、ポインタ（マウスカーソル）のみを表示させるエンジニアリングワークステーション（ＥＷＳ）が知られている（例えば、特許文献１参照）。
また、省電力状態に遷移し、当該省電力状態から復帰した際に、ポインタ（マウスカーソル）の近傍に、当該ポインタの位置を示すスコープ画像を表示するマルチディスプレイシステムが知られている（例えば、特許文献２参照）。
【０００６】
【特許文献１】特開平５−３１３５９１号公報
【特許文献２】特開２００２−１８２８１６号公報
【発明の開示】
【発明が解決しようとする課題】
【０００７】
しかしながら、特許文献１に記載のＥＷＳでは、低輝度状態ではポインタのみが表示されるので、当該ポインタの位置を把握しやすいが、低輝度状態が解除された場合には、再びポインタの位置を見失う可能性がある。特に、プレゼンテーション等で、複数のコンテンツ領域が起動し、当該コンテンツ領域にポインタが重なっている画面から目を離した場合には、ポインタを見失う可能性が高い。
また、特許文献２に記載のマルチディスプレイシステムでは、ポインタを指し示すスコープ画像を表示するが、スコープ画像と当該スコープ画像の背景（例えば、壁紙やコンテンツ領域）とが近い色の場合には、ポインタの位置を把握することが困難であるという問題がある。
【０００８】
本発明の目的は、所定の位置にポインタを移動することができるマルチディスプレイシステム、ポインタ移動方法、ポインタ移動プログラム、記録媒体及び画像出力装置を提供することである。
【課題を解決するための手段】
【０００９】
前記した目的を達成するために、本発明のマルチディスプレイシステムは、入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備え、前記各画面により前記表示画像を表示するマルチディスプレイシステムであって、
少なくとも１つのキーを有し、当該キーの入力操作に応じて、前記画像出力装置に所定の処理を実行させる操作信号を出力する操作装置を備え、前記画像出力装置は、前記操作信号の入力に応じて、前記各画面のうち所定の画面内に前記ポインタを移動するポインタ移動部を備えることを特徴とする。
【００１０】
ここで、ポインタとは、画面上を移動して、アプリケーション（ソフトウェア）に対応するウィンドウ領域、及び、エラーメッセージの表示及び操作の確認要求等に用いられるダイアログ等のウィンドウ領域等のコンテンツ領域の選択及び移動等を行う記号を指す。
また、画像表示装置としては、スクリーンに光学像を投射するプロジェクタや、液晶等のディスプレイを挙げることができ、画像出力装置としては、ＰＣ（Personal Computer）や、メニュー表示時等にポインタを表示する映像再生装置等を挙げることができる。
【００１１】
本発明によれば、操作装置に設けられたキーを入力することにより、ポインタ移動部が、表示画像上のポインタを、当該表示画像を分割した分割画像をそれぞれ表示する複数の画面のうち、所定の画面に移動する。これによれば、例えば、ポインタが表示画像の隅に配置されていたり、コンテンツ領域と重なっていたりするなどして、使用者が当該ポインタを見失った場合でも、簡易な操作により、所定の画面上にポインタを移動させることで、当該ポインタの位置を把握することができる。従って、マルチディスプレイシステムの操作性を向上することができる。
【００１２】
本発明では、前記画像出力装置は、前記画面のうち、少なくともいずれかを主画面に設定する主画面設定部を備え、前記ポインタ移動部は、前記主画面に前記ポインタを移動することが好ましい。
本発明によれば、表示画像を分割表示する複数の画面のうち、主画面設定部により予め設定された主画面にポインタを移動させることができるので、ポインタの位置を一層容易に把握することができる。また、主画面における所定の位置、例えば、当該主画面の中央にポインタを移動することにより、操作装置に対する操作に対して、ポインタを予め決まった場所に移動させることができるので、より一層簡易にポインタを発見することができる。さらに、操作装置のキーに対する入力操作により、ポインタを主画面に移動させることができるので、当該ポインタの主画面への移動を簡易に行うことができる。従って、ポインタの位置をより一層簡易に把握することができ、当該マルチディスプレイシステムの操作性を一層向上することができる。
【００１３】
本発明では、前記画像出力装置は、前記画面に対応する複数の画面領域を有する前記表示画像に係る画像上に、前記表示画像上の前記ポインタの位置を表記したマップを生成するマップ生成部を備えることが好ましい。
本発明によれば、マップ生成部により生成されたマップを表示することにより、ポインタの位置を一層容易に把握することができる。すなわち、ポインタを移動させずに、当該ポインタの位置のみを把握したい場合には、当該マップを表示させることにより、複数の画面により表示される表示画像におけるどの位置にポインタが位置しているのか、及び、当該ポインタがどの画面上に位置しているのかを容易に把握することができる。従って、ポインタの位置をより詳しく把握することができる。
【００１４】
本発明では、前記複数の画面領域は、選択可能に構成され、前記ポインタ移動部は、前記複数の画面領域のうち選択された画面領域に対応する前記画面に前記ポインタを移動することが好ましい。
本発明によれば、マップ上に含まれる画面領域を選択することにより、ポインタ移動部が、選択された画面領域に対応する画像表示装置の画面上にポインタを移動させる。これによれば、使用者が選択した任意の画面上にポインタを簡易に移動させることができる。
【００１５】
ここで、解像度が高い表示画像の隅にポインタが位置している場合には、当該表示画像の反対側の隅にポインタを移動させるには、マウス等のポインティングデバイスを何度も操作する必要があり、使用者にとって煩雑である。
これに対し、本発明では、マップ上の画面領域を選択することにより、選択された画面領域に対応する画面にポインタを一度に移動させることができるので、ポインタの移動操作を簡略化することができる。従って、マルチディスプレイシステムの操作性を一層向上することができる。
【００１６】
本発明では、前記画像出力装置は、前記操作装置に対する操作が所定時間行われないと、前記画面を待機状態に設定する待機状態設定部と、前記ポインタ移動部が、前記ポインタを移動する際に、当該ポインタの移動先の前記画面に設定された前記待機状態を解除する待機状態解除部とを備えることが好ましい。
ここで、待機状態とは、通常の画像が表示される通常表示状態ではない状態であり、例えば、画像表示を停止する等の省電力状態や、スクリーンセイバー等の画像が表示されるスタンバイ状態を挙げることができる。
【００１７】
ここで、待機状態に設定された画面においては、通常の画像表示が行われないので、当該待機状態に設定された画面にポインタが存在する場合では、ポインタの位置を把握することができない。これに対し、本発明では、所定の画面上にポインタを移動させることができるので、ポインタが位置する画面が待機状態に設定され、当該ポインタの位置を把握できない場合でも、ポインタの移動先の画面を参照することにより、当該ポインタの位置を容易に把握することができる。また、このような待機状態に設定された画面にて、画像形成が行われない場合には、マルチディスプレイシステム全体の消費電力を低減することができるほか、スクリーンセイバー等の画像が表示される場合には、画面の焼き付きを抑えることができる。
【００１８】
本発明では、前記操作装置は、キーボードであることが好ましい。
本発明によれば、ポインタを所定の画面に移動させる処理が、キーボードのキーを入力することにより行われるので、当該ポインタの移動処理を簡易に実行することができる。従って、ポインタを所定の画面上に簡易に移動することができ、マルチディスプレイシステムの操作性をより一層向上することができる。
【００１９】
また、本発明のポインタ移動方法は、入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムに用いられ、前記ポインタを移動するポインタ移動方法であって、前記画面のうち予め設定された主画面の位置を取得する主画面位置取得ステップと、前記主画面上に、前記ポインタを移動させるポインタ移動ステップとを有することを特徴とする。
【００２０】
本発明によれば、主画面設定部を有する画像出力装置を備えた前述のマルチディスプレイシステムと同様の効果を奏することができる。
すなわち、主画面位置取得ステップにより、複数の画面のうち予め主画面に設定された画面の位置が取得され、ポインタ移動ステップにより、当該主画面上にポインタが移動される。これによれば、複数の画面によって表示される表示画像上のポインタの位置が、いずれの場所であっても、簡易にポインタを主画面に設定された画面に移動させることができる。従って、ポインタの位置を容易に把握することができ、マルチディスプレイシステムの操作性を向上することができる。
【００２１】
あるいは、本発明のポインタ移動方法は、入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムに用いられ、前記ポインタを移動するポインタ移動方法であって、前記画面に対応する複数の画面領域を有する前記表示画像に係る画像上に、前記表示画像上の前記ポインタの位置が表記されたマップを表示するマップ表示ステップと、選択された前記画面領域に対応する前記画面に、前記ポインタを移動させるポインタ移動ステップとを有することを特徴とする。
【００２２】
本発明によれば、選択された画面上にポインタを移動するマルチディスプレイシステムと同様の効果を奏することができる。
すなわち、マップ表示ステップにて表示されたマップ上に、ポインタの位置が表記されるので、複数の画面上に表示された表示画像におけるポインタの位置、及び、当該ポインタが位置する画面を容易に把握することができる。
さらに、ポインタ移動ステップにて、マップ上の画面領域のうち、選択された画面領域に対応する画面にポインタが移動されるので、使用者が選択した任意の画面に、ポインタを移動することができる。従って、マルチディスプレイシステムの操作性を向上することができる。
【００２３】
また、本発明のポインタ移動プログラムは、入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムの前記画像出力装置により実行され、前記ポインタを移動するポインタ移動プログラムであって、前記画像出力装置に、前記画面のうち予め設定された主画面の位置を取得する主画面位置取得ステップと、前記主画面上に、前記ポインタを移動させるポインタ移動ステップとを実行させることを特徴とする。
【００２４】
本発明によれば、ポインタを主画面である画面に移動させる前述のポインタ表示方法と同様の効果を奏することができる。
すなわち、本発明のポインタ移動プログラムを画像出力装置が実行することにより、主画面位置取得ステップにて、複数の画面のうち予め主画面に設定された画面の位置が取得され、ポインタ移動ステップにて、当該主画面に設定された画面にポインタが移動される。これによれば、複数の画面により表示される表示画像上のポインタの位置を見失った場合でも、上記各ステップを実行することにより、主画面に設定された画面上にポインタを移動させることができるので、当該ポインタの位置を容易に把握することができる。従って、マルチディスプレイシステムの操作性を向上することができる。
【００２５】
あるいは、本発明のポインタ移動プログラムは、入力する画像情報に応じた画像を表示する画面をそれぞれ形成する複数の画像表示装置と、前記複数の画像表示装置に、ポインタを含む表示画像を分割した分割画像に係る画像情報をそれぞれ出力する画像出力装置とを備えたマルチディスプレイシステムの前記画像出力装置により実行され、前記ポインタを移動するポインタ移動プログラムであって、前記画像出力装置に、前記画面に対応する複数の画面領域を有する前記表示画像に係る画像上に、前記表示画像上の前記ポインタの位置が表記されたマップを表示するマップ表示ステップと、選択された前記画面領域に対応する前記画面に、前記ポインタを移動させるポインタ移動ステップとを実行させることを特徴とする。
【００２６】
本発明によれば、ポインタを選択された画面に移動させる前述のポインタ移動方法と同様の効果を奏することができる。
すなわち、本発明のポインタ移動プログラムを画像出力装置が実行することにより、マップ表示ステップにて、複数の画面に対応する画面領域と、当該複数の画面により表示される表示画像上のポインタの位置とが表記されたマップが表示される。これによれば、当該表示画像上のどの位置、及び、どの画面にポインタが位置しているのかを容易に把握することができる。また、ポインタ移動ステップにて、表示されたマップ上の画面領域のうち、選択された画面領域に対応する画面にポインタが移動されるので、使用者が選択した任意の画面にポインタを移動することができる。従って、マルチディスプレイシステムの操作性を向上することができる。
【００２７】
また、本発明の記録媒体は、前述のポインタ移動プログラムをコンピュータ読取可能に記録したことを特徴とする。
本発明によれば、画像出力装置が、当該記録媒体に記録されたポインタ移動プログラムを読み取って実行することにより、前述のポインタ移動プログラムと同様の効果を奏することができる。また、記録媒体として、ＤＡＴ（Digital Audio Tape）等の磁気テープ、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、ＲＯＭ（Read Only Memory）及びフラッシュメモリ等の半導体メモリ等を用いることができ、これらを利用して、前述のポインタ移動プログラムをインストール、実行及び配布することができる。
【００２８】
また、本発明の画像出力装置は、入力する画像情報に応じた画像を表示する画面をそれぞれ形成する複数の画像表示装置に、ポインタを含む表示画像を分割した分割画像に係る画像情報をそれぞれ出力する画像出力装置であって、少なくとも１つのキーを有し、当該キーの入力操作に応じた操作信号を出力する操作装置からの前記操作信号の入力に応じて、前記各画面のうち所定の画面内に前記ポインタを移動するポインタ移動部を備えることを特徴とする。
【００２９】
本発明によれば、前述のマルチディスプレイシステムと同様の効果を奏することができる。
すなわち、操作装置に設けられたキーの入力に応じて、ポインタ移動部により、複数の画像表示装置により形成される複数の画面のうち、所定の画面上にポインタを移動することができるので、容易にポインタの位置を把握することができる。従って、ポインタを見失った場合に、簡易な操作でポインタの位置を把握することができる。また、ポインタを当該所定の画面に移動させたい場合に、当該キーの入力に応じてポインタが所定の画面に移動するので、ポインティングデバイスを何度も動かすなどしてポインタを移動させる手間を省くことができる。
【発明を実施するための最良の形態】
【００３０】
以下、本発明の一実施形態を図面に基づいて説明する。
〔マルチディスプレイシステム１の全体構成〕
図１は、本実施形態のマルチディスプレイシステム１の構成を示す模式図である。
本実施形態のマルチディスプレイシステム（以下、「ＭＤＳ」と略す場合がある）１は、複数のプロジェクタ２を備え、当該各プロジェクタ２から投射された画像を組み合わせて１つの単体画像を表示するものである。このＭＤＳ１は、図１に示すように、６台のプロジェクタ２（２１〜２６）と、当該各プロジェクタ２に表示画像を分割した分割画像に係る画像情報をそれぞれ出力する画像出力装置としてのＰＣ３と、当該ＰＣ３に接続されるポインティングデバイスであるマウス４及び操作装置であるキーボード５とを備えて構成されている。
【００３１】
〔プロジェクタ２の構成〕
プロジェクタ２（２１〜２６）は、それぞれ本発明の画像表示装置に相当し、入力する画像情報に応じた画像を形成し、スクリーンＳＣ等の投射面上に拡大投射するものである。このプロジェクタ２は、詳しい図示を省略したが、光源と、当該光源から射出された光を前記画像情報に応じて変調して画像光を形成する液晶パネル等の光変調装置と、当該画像光をスクリーンＳＣ等の投射面上に投射する投射光学装置である投射レンズを備えて構成されている。
【００３２】
図２は、プロジェクタ２１〜２６により表示される画像を示す図である。
プロジェクタ２は、本実施形態では上下２段、左右３列となるように並列配置され、図２に示すように、１つの表示画像Ｔを６分割した分割画像Ｔ１〜Ｔ６をそれぞれ形成及び投射する。
具体的に、プロジェクタ２１は、上段左側の分割画面Ｓ１を形成し、当該分割画面Ｓ１内に分割画像Ｔ１を表示する。同様に、プロジェクタ２２，２３は、それぞれ、上段中央の分割画面Ｓ２及び上段右側の分割画面Ｓ３を形成し、当該分割画面Ｓ２，Ｓ３内に分割画像Ｔ２，Ｔ３をそれぞれ表示する。また、プロジェクタ２４は、下段左側の分割画面Ｓ４を構成し、当該分割画面Ｓ４内に分割画像Ｔ４を表示する。同様に、プロジェクタ２５，２６は、下段中央の分割画面Ｓ５及び下段右側の分割画面Ｓ６を形成し、当該分割画面Ｓ５，Ｓ６内に分割画像Ｔ５，Ｔ６をそれぞれ表示する。このようにして、各プロジェクタ２１〜２６により、１つの分割画面Ｓの６倍の大きさを有する高解像度な単一の表示画像Ｔを表示することができる。
なお、図２においては、分割画像Ｔ１，Ｔ２，Ｔ４中にコンテンツ領域ＣＡ（ＣＡ１〜ＣＡ４）が位置し、分割画像Ｔ６中にポインタＰが位置している。
【００３３】
これらプロジェクタ２１〜２６は、画像情報が所定時間入力しない場合には、画像表示を低輝度状態、すなわち、光源の発光輝度を低下させた低輝度状態とする省電力モードに切り替わるように構成されている。
なお、本実施形態では、画像表示装置をプロジェクタで構成したが、液晶、プラズマ、有機ＥＬ（Electroluminescence）及びＣＲＴ（Cathode Ray Tube）等のディスプレイで構成することも可能である。
【００３４】
〔ＰＣ３の構成〕
ＰＣ３は、当該ＰＣ３に接続されたマウス４及びキーボード５に対する使用者の入力操作に応じて所定の処理を実行するとともに、当該処理の実行結果等を含む表示画像Ｔを分割した分割画像Ｔ１〜Ｔ６に係る画像情報を、プロジェクタ２１〜２６のそれぞれに出力する画像出力装置である。このＰＣ３は、図１に示すように、操作信号入力手段３１、記憶手段３２、制御手段３３及びメモリ３４を備えて構成されている。
このうち、操作信号入力手段３１は、マウス４及びキーボード５から入力するアナログ信号である操作信号を内部処理可能なデジタル信号に変換し、当該デジタル変換された操作信号を、制御手段３３に出力する。
【００３５】
記憶手段３２は、本実施形態では、ＨＤＤ（Hard Disk Drive）を備えて構成され、制御手段３３での処理に必要な各種プログラム及びデータを記憶する。このようなプログラムとして、記憶手段３２は、例えば、ＰＣ３全体を制御するＯＳ（Operation System）や、後述するポインタ移動処理に用いられるポインタ移動プログラム等を挙げることができる。なお、本実施形態では、記憶手段３２は、ＨＤＤを備えて構成したが、フラッシュメモリ等の半導体素子や、ＣＤ（Compact Disc）及びＤＶＤ（Digital Versatile Disc）等の記録媒体に記録された情報を読取可能に構成されたドライブ等により構成してもよい。
メモリ３４は、基板上に実装されたＲＡＭ（Random Access Memory）により構成されている。このメモリ３４は、制御手段３３によるプログラムの実行時に作業メモリとして利用され、例えば、表示画像Ｔの画像情報が生成される。
【００３６】
〔制御手段３３の構成〕
図３は、制御手段３３の構成を示す機能ブロック図である。
制御手段３３は、ＣＰＵ（Central Processing Unit）等から構成されている。そして、制御手段３３は、記憶手段３２から読み出したＯＳ等のプログラムに沿って自律的にＰＣ３全体を制御するほか、マウス４及びキーボード５から入力する操作信号に基づいて、記憶手段３２に記憶された各種プログラム（例えば、ポインタ表示プログラム）を読み出して、当該プログラムに沿って所定の処理を実行する。
この制御手段３３は、図３に示すように、入力信号判定部３３１、移動部３３２、位置取得部３３３、分割数設定部３３４、画像分割部３３５、主画面設定部３３６、状態設定部３３７、分割数取得部３３８、主画面位置取得部３３９、マップ生成部３４０、選択画面取得部３４１、状態判定部３４２及び画像出力部３４３を備えて構成されている。
【００３７】
入力信号判定部３３１は、操作信号入力手段３１から入力する操作信号の内容を判定し、当該操作信号に応じた処理を制御手段３３に実行させる。具体的に、入力信号判定部３３１は、ポインタＰを移動させる後述の第１移動処理ＳＴ４あるいは第２移動処理ＳＴ５を実行させるキーの入力に係る操作信号がキーボード５から入力したか否かを判定する。また、これら以外の操作信号が入力した場合には、当該操作信号に応じた処理を制御手段３３に実行させる。
【００３８】
移動部３３２は、メモリ３４上の表示画像ＴにおけるポインタＰ及びコンテンツ領域ＣＡの位置を移動させる。この移動部３３２は、ポインタ移動部３３２１及びコンテンツ移動部３３２２を備えて構成され、ポインタ移動部３３２１は、マウス４の操作に伴って入力する操作信号に応じてポインタＰを表示画像Ｔ上で移動させる。また、コンテンツ移動部３３２２は、コンテンツ領域ＣＡをドラッグする操作がマウス４に対して行われた際、あるいは、選択されたコンテンツ領域ＣＡを移動する操作がキーボード５のカーソルキーに対して行われた際に、入力する操作信号に応じて、コンテンツ領域ＣＡを表示画像Ｔ上で移動させる。
【００３９】
位置取得部３３３は、表示画像Ｔ上のオブジェクトの位置を取得する。具体的に、位置取得部３３３は、メモリ３４上に形成される表示画像Ｔの左上端を原点とする水平方向のＸ座標、及び、垂直方向のＹ座標を、各オブジェクトについて取得する。このような位置取得部３３３は、ポインタＰの位置を取得するポインタ位置取得部３３３１と、コンテンツ領域ＣＡの位置を取得するコンテンツ位置取得部３３３２とを備え、ポインタ位置取得部３３３１は、ポインタＰが指し示す位置のＸＹ座標を取得し、コンテンツ位置取得部３３３２は、コンテンツ領域ＣＡの左上のＸＹ座標及び右下のＸＹ座標をそれぞれ取得する。
【００４０】
分割数設定部３３４は、プロジェクタ２を用いて表示画像Ｔを表示する際に、ＰＣ３に接続されたプロジェクタ２（２１〜２６）の数に応じて表示画像を分割する分割数を設定する。この分割数設定部３３４により設定される分割数は、使用者のマウス４及びキーボード５に対する入力操作に応じて設定してもよく、あるいは、ＰＣ３に接続されたプロジェクタ２を検出し、当該プロジェクタ２（２１〜２６）の数を分割数として設定してもよい。
【００４１】
画像分割部３３５は、分割数設定部３３４により設定された分割数で、表示画像Ｔを分割する。具体的に、画像分割部３３５は、メモリ３４上に形成された表示画像Ｔに係る画像情報の読み取り位置を設定することにより、表示画像Ｔを分割する。
【００４２】
図４は、メモリ３４上に形成された座標空間を示す図である。
例えば、図４に示すように、メモリ３４上に解像度３０７２×１５３６の表示画像Ｔが形成され、分割数設定部３３４により分割数６が設定された場合には、画像分割部３３５は、当該メモリ３４の座標空間上の座標（０，０）から座標（１０２３，７６７）までの領域を、分割画面Ｓ１に表示される分割画像Ｔ１に係る画像形成領域Ａ１として設定する。また、当該座標空間上の座標（１０２４，０）から座標（２０４７，７６７）までの領域を、分割画面Ｓ２に表示される分割画像Ｔ２に係る画像形成領域Ａ２として設定し、座標（２０４８，０）から座標（３０７１，７６７）までの領域を、分割画面Ｓ３に表示される分割画像Ｔ３に係る画像形成領域Ａ３として設定する。同様に、座標（０，７６８）から座標（１０２３，１５３５）までの領域、座標（１０２４，７６８）から座標（２０４７，１５３５）までの領域、及び、座標（２０４８，７６８）から座標（３０７１，１５３５）までの領域を、それぞれ分割画面Ｓ４，Ｓ５，Ｓ６に表示され分割画像Ｔ４，Ｔ５，Ｔ６に係る画像形成領域Ａ４，Ａ５，Ａ６として設定する。
なお、本実施形態では、分割数を６とし、表示画像Ｔの解像度を３０７２×１５３６とし、１つの分割画像を１０２４×７６８としたが、これらは適宜設定してよい。
【００４３】
図３に戻り、主画面設定部３３６は、使用者によるマウス４及びキーボード５に対する操作に応じて、前述の分割画面Ｓ１〜Ｓ６のうち、いずれかの画面を主画面に設定する。
例えば、使用者により、分割画面Ｓ５を主画面として設定する操作がマウス４及びキーボード５に対して行われた場合には、当該操作に応じて入力する操作信号に基づいて、主画面設定部３３６は、分割画面Ｓ６を主画面として設定する設定情報を、記憶手段３２に記憶させる。なお、ＰＣ３の初期状態では、表示画像Ｔの中央に対応する分割画面（例えば、分割画面Ｓ５）を主画面とする設定情報が記憶されている。
【００４４】
状態設定部３３７は、詳しい図示を省略したが、複数のタイマを備えて構成され、位置取得部３３３により取得されるオブジェクトの位置情報に基づいて、メモリ３４上の画像形成領域Ａ１〜Ａ６を監視し、待機状態の設定及び解除を実行する。
具体的に、状態設定部３３７は、メモリ３４上の画像形成領域Ａ１〜Ａ６を監視し、ポインタＰ及びアクティブなコンテンツ領域ＣＡが画像形成領域Ａ（Ａ１〜Ａ６）に位置しなくなった時点で、当該ポインタＰ及びコンテンツ領域ＣＡが位置しない画像形成領域Ａ（Ａ１〜Ａ６）に対応するタイマを、予め設定された設定時間からカウントダウンさせる。そして、状態設定部３３７は、ポインタＰ及びアクティブなコンテンツ領域ＣＡが侵入した画像形成領域Ａ（Ａ１〜Ａ６）に対応するタイマをリセットする一方で、タイマがタイムアップすると、当該タイマに対応する画像形成領域Ａ（Ａ１〜Ａ６）に係る分割画面Ｓ１〜Ｓ６を待機状態に設定する。また、状態設定部３３７は、マウス４及びキーボード５から、タイマの前述の設定時間より長い所定時間、操作信号が入力しなかった場合には、すべての分割画面Ｓ１〜Ｓ６を待機状態に設定する。
【００４５】
一方、状態設定部３３７は、待機状態に設定された分割画面Ｓ（Ｓ１〜Ｓ６）に対応する画像形成領域Ａ（Ａ１〜Ａ６）に、ポインタＰ及びアクティブなコンテンツ領域ＣＡが位置した時点で、当該ポインタＰ及びコンテンツ領域ＣＡが位置する画像形成領域Ａ（Ａ１〜Ａ６）に対応するタイマをリセットするとともに、当該画像形成領域Ａ（Ａ１〜Ａ６）に対応する分割画面Ｓ（Ｓ１〜Ｓ６）に設定された待機状態を解除する。
さらに、状態設定部３３７は、後述する第１移動処理ＳＴ４及び第２移動処理ＳＴ５において、ポインタＰが移動される画面として設定された分割画面Ｓ（Ｓ１〜Ｓ６）が待機状態に設定されている場合には、当該分割画面Ｓの待機状態を解除する。
すなわち、状態設定部３３７は、本発明の待機状態設定部及び待機状態解除部に相当する。
【００４６】
例えば、状態設定部３３７は、分割画面Ｓ６に対応する画像形成領域Ａ６に、ポインタＰ及びアクティブなコンテンツ領域ＣＡ（以下、アクティブオブジェクトという場合がある）が位置しなくなった時点で、当該画像形成領域Ａ６に応じて設けられたタイマによるカウントダウンを実行する。そして、状態設定部３３７は、画像形成領域Ａ６内に、アクティブオブジェクトが位置している場合には、当該タイマをリセットし続ける。一方、画像形成領域Ａ６内にアクティブオブジェクトが位置せずに、タイマのカウントダウンが続行され、当該タイマがタイムアップすると、状態設定部３３７は、画像形成領域Ａ６に対応する分割画面Ｓ６を待機状態に設定する。また、前述のように、操作信号が所定時間入力しなかった場合には、分割画面Ｓ１〜Ｓ６を全て待機状態に設定する。
一方、待機状態に設定された分割画面Ｓ６に対応する画像形成領域Ａ６に、アクティブオブジェクトが位置した場合には、状態設定部３３７は、当該画像形成領域Ａ６に対応するタイマをリセットするとともに、分割画面Ｓ６に設定された待機状態を解除する。
【００４７】
このような分割画面Ｓ１〜Ｓ６の状態は、後述する状態判定部３４２により判定され、待機状態に設定されている分割画面Ｓに係る画像形成領域Ａの画像情報は、当該分割画面Ｓを形成するプロジェクタ２に出力されず、これにより、当該プロジェクタ２は、省電力状態である低輝度状態に設定される。
分割数取得部３３８は、分割数設定部３３４により設定された分割数を取得する。
主画面位置取得部３３９は、主画面設定部３３６により設定された主画面の設定情報を取得する。具体的に、主画面位置取得部３３９は、各分割画面Ｓ１〜Ｓ６のうち、どの画面が主画面に設定されているかの設定情報を取得する。
【００４８】
図５は、表示画像Ｔ上に表示されたマップを示す図である。
マップ生成部３４０は、後述する第２移動処理ＳＴ５の実行中に、表示画像Ｔ上にポインタＰの位置を示すマップＭＰに係る画像を生成する。
具体的に、マップ生成部３４０は、当該第２移動処理ＳＴ５において、図５に示すように、ポインタ位置取得部３３３１により取得されたポインタＰの位置情報、及び、分割数取得部３３８により取得された分割数に基づいて、表示画像Ｔ上のポインタＰの位置を示すマップＭＰが含まれるポップアップウィンドウＰＷの画像を生成する。このマップＭＰには、表示画像Ｔを所定の割合で縮小した画像中に、分割画面Ｓ１〜Ｓ６に対応する画面領域Ｂ１〜Ｂ６と、当該画面領域Ｂ１〜Ｂ６に重畳され、かつ、ポインタＰの現在位置を示すマーカーＭＫとが表記されている。そして、当該マップＭＰを含むポップアップウィンドウＰＷは、キーボード５のカーソルキー等により、マップＭＰ中の画面領域Ｂ１〜Ｂ６が選択可能に構成されている。
【００４９】
このようなポップアップウィンドウＰＷの画像は、主画面位置取得部３３９により取得された主画面に設定された分割画面Ｓの設定情報に基づいて、当該分割画面Ｓに係る画像形成領域Ａ上に生成される。そして、例えば、分割画面Ｓ５が主画面に設定されている場合には、当該分割画面Ｓ５に対応する画像形成領域Ａ５の画像情報が、プロジェクタ２５に後述する画像出力部３４３により出力されると、図５に示すように、分割画面Ｓ５上にマップＭＰを含むポップアップウィンドウＰＷが表示される。
なお、本実施形態では、マップＭＰ中の画像には、表示画像Ｔ上のコンテンツ領域ＣＡに係る画像は含まれないが、当該コンテンツ領域ＣＡの位置を示すイメージを合わせて表示するようにしてもよい。
【００５０】
選択画面取得部３４１は、マップ生成部３４０により生成されたポップアップウィンドウＰＷが表示された際に、当該ポップアップウィンドウＰＷにおいて、使用者により選択された画面領域Ｂ（Ｂ１〜Ｂ６）の選択情報を取得する。例えば、選択画面取得部３４１は、キーボード５のカーソルキー等に対する使用者の操作により、画面領域Ｂ５が選択された場合には、当該画面領域Ｂ５が選択された旨の選択情報を取得する。
状態判定部３４２は、各分割画面Ｓ１〜Ｓ６が待機状態に設定されているか否かを判定する。
【００５１】
画像出力部３４３は、前述のように、メモリ３４上の画像形成領域Ａ１〜Ａ６に形成された各分割画像Ｔ１〜Ｔ６の画像情報を、当該各分割画像Ｔ１〜Ｔ６を表示する分割画面Ｓ１〜Ｓ６に係るプロジェクタ２１〜２６に出力する。この際、画像出力部３４３は、状態判定部３４２による判定結果に基づいて、待機状態に設定されている分割画面Ｓに係るプロジェクタ２に対しては、画像情報の出力を行わない。
なお、本実施形態では、画像出力部３４３は、待機状態に設定されている分割画面Ｓに係るプロジェクタ２に対しては画像情報の出力を行わないとしたが、スクリーンセイバー等の所定の画像に係る画像情報を出力するように構成してもよい。
【００５２】
〔ポインタ移動処理〕
以下、キーボード５に対する使用者の操作に応じて実行され、ポインタＰを現在の位置から所定の分割画面Ｓに移動させるポインタ移動処理ＳＴについて説明する。
図６は、ポインタ移動処理の処理過程を示すフローチャートである。
ポインタ移動処理は、制御手段３３が、記憶手段３２に記憶されたポインタ移動プログラムを読み込んで実行することにより処理されるものであり、画像表示中に使用者によりキーボード５に配設された所定のキーが入力された際に、表示画像Ｔ上のポインタＰの位置を所定の分割画面上に移動させる処理である。
【００５３】
具体的に、ポインタ移動処理では、図６に示すように、まず、入力信号判定部３３１が、操作信号入力手段３１を介してマウス４及びキーボード５から入力する操作信号が、所定のキー（例えば、ファンクションキー）等の入力に伴う操作信号であるか否かを判定する（信号判定ステップＳＴ１）。ここで、入力信号判定部３３１が、当該所定のキーの入力に応じた操作信号が入力したと判定した場合には、制御手段３３は、後述する第１移動処理ＳＴ４を実行する。
【００５４】
一方、入力信号判定部３３１が、当該所定のキーの入力に伴う操作信号が入力したのではないと判定した場合、当該入力信号判定部３３１は、当該入力した操作信号が他の所定のキー（例えば、前述のファンクションキーとは異なるファンクションキー）の入力に伴う操作信号であるか否かを判定する（信号判定ステップＳＴ２）。
ここで、入力信号判定部３３１が、当該他の所定のキーの入力に伴う操作信号が入力したと判定した場合には、制御手段３３は、後述する第２移動処理ＳＴ５を実行する。また、入力信号判定部３３１が、当該他の所定のキーの入力に伴う操作信号ではないと判定した場合には、制御手段３３は、入力した操作信号に応じた処理を実行する（ステップＳＴ３）。
【００５５】
〔第１移動処理ＳＴ４〕
図７は、第１移動処理ＳＴ４の処理過程を示すフローチャートである。
第１移動処理ＳＴ４は、主画面設定部３３６により設定された主画面である分割画面Ｓ上に、ポインタＰを移動させる処理である。
この第１移動処理ＳＴ４では、図７に示すように、まず、主画面位置取得部３３９が、主画面設定部３３６により設定された主画面の位置を示す設定情報を取得する（主画面位置取得ステップＳＴ４１）。
この後、状態判定部３４２が、主画面に設定されている分割画面Ｓ（分割画面Ｓ１〜Ｓ６のうち少なくともいずれか）が待機状態に設定されているか否かを判定する（状態判定ステップＳＴ４２）。
【００５６】
ここで、状態判定部３４２が、主画面に設定された分割画面Ｓが待機状態に設定されていないと判定した場合には、制御手段３３は、ステップＳＴ４４に移行する。
一方、状態判定部３４２が、主画面に設定された分割画面Ｓが待機状態に設定されていると判定した場合には、状態設定部３３７は、当該分割画面Ｓに設定された待機状態を解除する（待機状態解除ステップＳＴ４３）。この後、制御手段３３は、ステップＳＴ４４に移行する。
【００５７】
図８は、分割画面Ｓ６上に位置したポインタＰが主画面である分割画面Ｓ５に移動した状態を示す図である。
ステップＳＴ４４では、移動部３３２のポインタ移動部３３２１が、主画面に設定された分割画面Ｓの中央にポインタＰを移動させる（ポインタ移動ステップＳＴ４４）。
例えば、ポインタＰが分割画面Ｓ６に位置し、主画面として分割画面Ｓ５が設定されている場合には、ポインタ移動ステップＳＴ４４にて、ポインタ移動部３３２１は、ポインタＰを分割画面Ｓ５に対応する画像形成領域Ａ５の中央に移動させることにより、図８に示すように、当該ポインタＰを主画面である分割画面Ｓ５の中央に移動させる。これにより、表示画像ＴにおいてポインタＰを見失った場合でも、主画面に設定された分割画面Ｓ上にポインタＰを位置させることができるので、ポインタＰを発見しやすくすることができる。
以上により、第１移動処理ＳＴ４が終了する。
【００５８】
〔第２移動処理ＳＴ５〕
図９は、第２移動処理ＳＴ５の処理過程を示すフローチャートである。
第１移動処理ＳＴ４は、ポインタＰを主画面に設定された分割画面Ｓ上に移動させる処理であったのに対し、第２移動処理ＳＴ５は、ポインタＰの位置を示すマップＭＰを表示し、当該マップＭＰ上で選択された分割画面Ｓ上にポインタＰを移動させる処理である。
この第２移動処理ＳＴ５では、図９に示すように、まず、ポインタ位置取得部３３３１が、表示画像Ｔ上の現在のポインタＰの位置を取得する（位置取得ステップＳＴ５１）。
【００５９】
次に、分割数取得部３３８及び主画面位置取得部３３９が、分割数設定部３３４及び主画面設定部３３６によりそれぞれ設定された分割数及び主画面に係る設定情報を取得する（分割数取得ステップＳＴ５２及び主画面位置取得ステップＳＴ５３）。
この後、マップ生成部３４０が、ポインタＰの位置がマーカーＭＫにより示された前述のマップＭＰを含むポップアップウィンドウＰＷの画像を、主画面に設定された分割画面Ｓに対応するメモリ３４上の画像形成領域Ａに生成する（マップ生成ステップＳＴ５４）。例えば、分割画面Ｓ５が主画面に設定されている場合には、マップ生成部３４０は、当該分割画面Ｓ５に対応する画像形成領域Ａ５に、ポップアップウィンドウＰＷの画像を生成する。
そして、画像出力部３４３が、当該メモリ３４上の画像情報を各プロジェクタ２１〜２６に出力することにより、ポップアップウィンドウＰＷが表示画像Ｔ上、詳述すると、分割画面Ｓ５に表示される分割画像Ｔ５上に表示される（マップ表示ステップＳＴ５５）。
【００６０】
次に、ポップアップウィンドウＰＷが表示されている状態で、入力信号判定部３３１が、操作信号入力手段３１を介してマウス４及びキーボード５から入力する操作信号を判定する（操作信号判定ステップＳＴ５６）。具体的に、このステップＳＴ５６では、入力信号判定部３３１は、入力した操作信号が、マウス４の操作に由来する信号であるのか、キーボード５の操作に由来する信号であるのかを判定する。
ここで、入力信号判定部３３１が、入力した操作信号がマウス４の操作に由来する信号であると判定した場合には、制御手段３３は、ステップＳＴ６２に移行する。
【００６１】
一方、入力信号判定部３３１が、入力した操作信号がキーボード５の操作に由来する信号であると判定した場合には、当該入力信号判定部３３１は、入力した操作信号に基づいて、ポップアップウィンドウＰＷのマップＭＰ上に表示された画面領域Ｂ１〜Ｂ６のうち、いずれかが選択されたか否かを判定する（画面選択判定ステップＳＴ５７）。
この際、入力信号判定部３３１が、画面領域Ｂ１〜Ｂ６のいずれかを選択する操作以外の操作が行われたと判定した場合には、制御手段３３は、ステップＳＴ６２に移行する。
【００６２】
また、ステップＳＴ５７にて、入力信号判定部３３１が、画面領域Ｂ１〜Ｂ６のいずれかが選択されたと判定した場合には、選択画面取得部３４１が、入力した操作信号に基づいて、選択された画面領域Ｂ（画面領域Ｂ１〜Ｂ６のいずれか）に係る情報、すなわち、選択された画面領域が、画面領域Ｂ１〜Ｂ６のうちのどの画面であるのかを示す選択情報を取得する（選択画面取得ステップＳＴ５８）。例えば、使用者により、画面領域Ｂ２が選択された場合には、選択画面取得部３４１は、当該画面領域Ｂ２が選択された旨の選択情報を取得する。
【００６３】
この後、状態判定部３４２が、選択された画面領域Ｂに対応する分割画面Ｓが、待機状態に設定されているか否かを判定する（状態判定ステップＳＴ５９）。
ここで、状態判定部３４２が、当該分割画面Ｓが待機状態に設定されていないと判定した場合には、制御手段３３は、ステップＳＴ６１に移行する。
一方、状態判定部３４２が、当該分割画面Ｓが待機状態に設定されていると判定した場合には、状態設定部３３７が、当該分割画面Ｓの待機状態を解除する（待機状態解除ステップＳＴ６０）。この際、当該分割画面Ｓに対応するタイマのリセットも行われる。
すなわち、前述のように、画面領域Ｂ２が選択された場合には、当該画面領域Ｂ２に対応する分割画面Ｓ２が待機状態に設定されているか否かが、状態判定部３４２により判定され、待機状態に設定されていると判定された場合には、状態設定部３３７により、分割画面Ｓ２の待機状態が解除される。
【００６４】
ステップＳＴ６１では、ポインタ移動部３３２１が、使用者により選択された画面領域Ｂに対応する画像形成領域Ａの中央にポインタＰを移動させることで、当該画像形成領域Ａ上に形成された分割画像が表示される分割画面Ｓの中央に、ポインタＰを移動させる（ポインタ移動ステップＳＴ６１）。例えば、前述のように、画面領域Ｂ２が選択された場合には、当該画面領域Ｂ２に対応する分割画面Ｓ２の中央にポインタＰが移動される。
この後、ステップＳＴ６２では、主画面に設定された分割画面Ｓに表示されていたポップアップウィンドウＰＷを非表示とし（マップ非表示ステップＳＴ６２）、制御手段３３は、第２移動処理ＳＴ５を終了する。
このような第２移動処理ＳＴ５により、任意の分割画面Ｓ上にポインタＰを位置させることができる。
【００６５】
以上説明した本実施形態のＭＤＳ１によれば、以下の効果を奏することができる。
すなわち、キーボード５の所定のキーが入力され、前述の第１移動処理ＳＴ４が実行された場合には、主画面位置取得ステップＳＴ４１にて、ＰＣ３の制御手段３３を構成する主画面位置取得部３３９が、使用者により予め設定された主画面、または、初期状態で設定されていた主画面の設定情報が取得される。これにより、分割画面Ｓ１〜Ｓ６のうち、どの分割画面が主画面に設定されているのかが示された設定情報が取得される。そして、ポインタ移動ステップＳＴ４４にて、ポインタ移動部３３２１により、取得された主画面の設定情報に基づいて、当該主画面に設定された分割画面Ｓの中央に、ポインタＰが移動される。
【００６６】
これによれば、使用者が設定した主画面である分割画面Ｓ（分割画面Ｓ１〜Ｓ６のいずれか）の中央にポインタＰを移動することができるので、表示画像Ｔに存在するポインタＰを使用者が見失った場合でも、主画面である分割画面Ｓ上にポインタＰが表示されるので、簡易な操作でポインタＰの位置を把握することができる。また、これにより、マウス４の操作により、主画面に設定された分割画面Ｓ上にポインタＰを移動させる手間を省くことができる。従って、画像出力装置であるＰＣ３の操作性を向上することができ、ひいては、ＭＤＳ１の操作性を向上することができる。
【００６７】
また、キーボード５の他の所定のキーが入力され、前述の第２移動処理ＳＴ５が実行された場合には、マップ生成部３４０により、主画面に設定された分割画面Ｓに対応するメモリ３４の画像形成領域Ａ（画像領域Ａ１〜Ａ６のいずれか）に、マップＭＰを含むポップアップウィンドウＰＷの画像が生成される。このマップＭＰには、各分割画面Ｓ１〜Ｓ６に対応する画面領域Ｂ１〜Ｂ６と、当該分割画面Ｓ１〜Ｓ６により表示される表示画像Ｔ上のポインタＰの位置を示すマーカーＭＫとが含まれている。そして、当該画像形成領域Ａの画像情報が、画像出力部３４３によりプロジェクタ２に出力されることにより、ポップアップウィンドウＰＷが表示される。
これによれば、ポップアップウィンドウＰＷのマップＭＰを参照することにより、表示画像Ｔ上のどの位置及びどの分割画面ＳにポインタＰが位置しているのかを容易に把握することができる。従って、ＭＤＳ１の操作性を一層向上することができる。
【００６８】
さらに、ポップアップウィンドウＰＷのマップＭＰに含まれる画面領域Ｂ１〜Ｂ６は選択可能であり、使用者のキーボード５に対する操作（例えば、カーソルキーに対する入力操作）に応じて選択された画面領域Ｂ（画面領域Ｂ１〜Ｂ６のいずれか）に対応する分割画面Ｓの中央に、ポインタ移動ステップＳＴ６１にて、ポインタ移動部３３２１が、ポインタＰを移動させる。
これによれば、使用者が選択した分割画面Ｓ上に、キーボード５の簡易なキー操作で、ポインタＰを一度に移動することができる。このため、表示画像Ｔの隅にポインタＰが位置し、当該表示画像Ｔの反対側の隅にポインタＰを移動したい場合に、マウス４を何度も操作することでポインタＰを移動させる手間を省くことができる。従って、簡易な操作で、所望の分割画面Ｓ上にポインタＰを移動することができ、ＰＣ３の操作性、ひいては、ＭＤＳ１の操作性をより一層向上することができる。
【００６９】
また、状態設定部３３７は、ポインタＰ及びアクティブなコンテンツ領域ＣＡがタイマの設定時間内に位置しない場合には、当該ポインタＰ及びコンテンツ領域ＣＡが位置しない分割画面Ｓを待機状態に設定する。さらに、状態設定部３３７は、マウス４及びキーボード５から操作信号が所定時間入力しない場合には、分割画面Ｓ１〜Ｓ６を待機状態に設定する。そして、画像出力部３４３は、待機状態に設定された分割画面Ｓ１〜Ｓ６に対応する画像形成領域Ａ１〜Ａ６の画像情報を、対応するプロジェクタ２に出力しない。このようにして、画像情報がプロジェクタ２に所定時間入力しない場合には、当該プロジェクタ２は、光源の輝度を低下させる低輝度状態となり、消費電力の低減化を図る。
一方、ポインタ移動部３３２１がポインタＰを主画面に設定された分割画面Ｓ、または、選択された画面領域Ｂに対応する分割画面Ｓに移動する場合には、当該分割画面Ｓが待機状態に設定されている場合には、状態設定部３３７が、当該分割画面Ｓの待機状態を解除する。
【００７０】
これによれば、待機状態に設定された分割画面Ｓに係るプロジェクタ２の消費電力を低減することができるので、当該プロジェクタ２、ひいては、ＭＤＳ１全体の省電力化を図ることができる。
また、前述の第１移動処理ＳＴ４及び第２移動処理ＳＴ５にて、ポインタ移動部３３２１が、ポインタＰを移動させる際には、移動先の分割画面Ｓの待機状態が解除されるので、当該分割画面Ｓを見やすくすることができ、ひいては、ポインタＰの位置を一層容易に把握することができる。従って、ＭＤＳ１の省電力化を図りつつ、ポインタＰの位置が把握しづらくなることを防ぐことができる。
【００７１】
〔実施形態の変形〕
本発明は前述の実施形態に限定されるものではなく、本発明の目的を達成できる範囲での変形、改良等は本発明に含まれるものである。
前記実施形態では、操作装置としてキーボード５を挙げ、当該キーボード５のファンクションキー等の所定キーが入力された場合に、ポインタ移動処理を実行するとしたが、本発明はこれに限らない。例えば、操作装置をマウス４等のポインティングデバイスとし、当該ポインティングデバイスに設けられたキーが入力された場合に、前述のポインタ移動処理を実行するようにしてもよい。
【００７２】
前記実施形態では、解像度３０７２×１５３６の表示画像Ｔを６分割し、それぞれ解像度１０２４×７６８の分割画像Ｔ１〜Ｔ６を６台のプロジェクタ２１〜２６により表示するとしたが、本発明はこれに限らない。すなわち、複数のプロジェクタを備える構成であれば、台数は６台に限定されない。また、表示画像Ｔの解像度、及び、それぞれのプロジェクタ２が表示する各分割画像Ｔ１〜Ｔ６の解像度も前述の解像度に限らず、これらは適宜設定してよい。
【００７３】
前記実施形態では、マップＭＰを含むポップアップウィンドウＰＷは、主画面に設定された分割画面Ｓ（分割画面Ｓ１〜Ｓ６のいずれか）に表示されるとしたが、本発明はこれに限らない。例えば、当該ポップアップウィンドウＰＷは、分割画面Ｓ１〜Ｓ６のうち、アクティブな画面、すなわち、待機状態に設定されていない分割画面Ｓのいずれかに表示するようにしてもよい。
【００７４】
前記実施形態では、画像表示装置として、スクリーンを観察する方向から投射を行なうフロントタイプのプロジェクタ２１〜２６を例示したが、本発明はこれに限らず、スクリーンを観察する方向とは反対側から投射を行なうリアタイプのプロジェクタでも採用可能である。また、このようなプロジェクタに採用される光変調装置は、液晶を有する光変調装置でも、液晶以外の光変調装置でも採用可能である。さらに、画像表示装置としてプロジェクタ２１〜２６を例示したが、例えば、液晶、プラズマ、有機ＥＬ及びＣＲＴ等のディスプレイで構成してもよい。
【００７５】
前記実施形態では、画像出力装置としてＰＣ３を例示したが、本発明はこれに限らず、例えば、ＯＳＤ等のメニュー画面に係る画像情報を出力可能な装置を採用してもよい。このような装置として、ＣＤやＤＶＤ等のディスク型記録媒体に記録された画像情報を再生する再生装置を例示することができる。
【００７６】
前記実施形態では、前述のポインタ移動プログラムは、ＨＤＤを備えて構成された記憶手段３２に記憶され、制御手段３３により読み出されて実行されるとしたが、本発明はこれに限らない。例えば、当該プログラムは、ＣＤ（Compact Disc）及びＤＶＤ（Digital Versatile Disc）等の光ディスク、磁気ディスク、及びフラッシュメモリ等の半導体メモリ等の記録媒体に記憶され、必要に応じて読み出されるように構成してもよい。すなわち、当該ポインタ移動プログラムの記録形態は問わない。
【産業上の利用可能性】
【００７７】
本発明は、マルチディスプレイシステムに利用でき、特に、ポインタが表示画像中に含まれるＰＣ等の画像を表示するマルチディスプレイシステムに好適に利用することができる。
【図面の簡単な説明】
【００７８】
【図１】本発明の一実施形態に係るマルチディスプレイシステムの構成を示すブロック図。
【図２】前記実施形態におけるプロジェクタにより表示される画像を示す図。
【図３】前記実施形態における制御手段の構成を示す機能ブロック図。
【図４】前記実施形態におけるメモリ上に形成された座標空間を示す図。
【図５】前記実施形態における表示画像上に表示されたマップを示す図。
【図６】前記実施形態におけるポインタ移動処理の処理過程を示すフローチャート。
【図７】前記実施形態における第１移動処理の処理過程を示すフローチャート。
【図８】前記実施形態におけるポインタが主画面に移動した状態を示す図。
【図９】前記実施形態における第２移動処理の処理過程を示すフローチャート。
【符号の説明】
【００７９】
１…マルチディスプレイシステム、２（２１〜２６）…プロジェクタ（画像表示装置）、３…ＰＣ（画像出力装置）、５…キーボード（操作装置）、３３６…主画面設定部、３３７…状態設定部（待機状態設定部、待機状態解除部）、３４０…マップ生成部、３３２１ポインタ移動部、Ｂ（Ｂ１〜Ｂ６）…画面領域、Ｐ…ポインタ、Ｓ（Ｓ１〜Ｓ６）…分割画面（画面）、ＳＴ４１…主画面位置取得ステップ、ＳＴ４４，ＳＴ６１…ポインタ移動ステップ、ＳＴ５５…マップ表示ステップ、Ｔ…表示画像、Ｔ１〜Ｔ６…分割画像。
【図１】
2008152378.tif 000003
【図２】
2008152378.tif 000004
【図３】
2008152378.tif 000005
【図４】
2008152378.tif 000006
【図５】
2008152378.tif 000007
【図６】
2008152378.tif 000008
【図７】
2008152378.tif 000009
【図８】
2008152378.tif 000010
【図９】
2008152378.tif 000011